(57)【特許請求の範囲】
【請求項１】
上端がヒンジを介して折り畳み可能に連結され、下端が設置面に対する接地部とされた一対の表示板と、
このうちの一方の表示板の裏面側に基端側が回動可能に取り付けられ、先端側が、他方の表示板の裏面側に設けられた係止部に係止可能とされた連結板とを有し、
前記連結板の先端側を前記他方の表示板の係止部に係止することにより、当該連結板を水平に保持した状態で、前記一対の表示板を、側面視で前記ヒンジを頂点とする三角形状を呈する設置姿勢に維持して、これらの表示板の表面に表示された標識が通行人等に視認されるようにする標識具であって
前記連結板に、飲料用ボトルのネック部（その上方に位置する口部の下側部分を含む）を係止しうるボトル係止孔が設けられており、
前記設置姿勢に維持されている状態において水平に保持された連結板のボトル係止孔に飲料用ボトルのネック部を係止したときに当該飲料用ボトルが設置面から実質的に浮いた状態で保持されるように前記連結板の高さ位置が設定されていることを特徴とする標識具。
【請求項２】
ボトル係止孔は、飲料用ボトルの口部に装着されるキャップの外径よりも大径とされた大径部と、この大径部に連続するように形成されて前記飲料用ボトルの口部の外径よりも大径で且つキャップの外径よりも小径の小径部とで構成されており、
このうちの大径部に飲料用ボトルのキャップを下方側から挿通して、当該キャップの下方側に位置するネック部を大径部内に位置させ、その状態で小径部側に水平に移動させるか、または小径部の下方側から飲料用ボトルの口部を挿通して小径部の上方側に突出させ、その突出部分にキャップを装着することで、飲料用ボトルのネック部がボトル係止孔の小径部に係止可能とされている、請求項１記載の標識具。
【請求項３】
連結板のボトル係止孔に係止される飲料用ボトルは、ボトル本体がポリエチレンテレフタレートで構成されたペットボトルである、請求項１または２記載の標識具。
【発明の詳細な説明】
【技術分野】
【０００１】
本発明は、例えば、道路工事や建築工事などの現場において、進行方向を示す矢印や注意書きなどの情報を表示するために、路面上等に設置される標識具に関する。
【背景技術】
【０００２】
この種の標識具として、例えば特許文献１に示されたようなもの（表示具）が知られている。これは、上端がヒンジを介して折り畳み可能に連結され且つ下端側が折り畳み脚部とされた一対のプラスチック製の表示板と、この一対の表示板を側面視で三角形状に開いた状態（設置姿勢）に保持するための連結手段とを備えたもので、当該連結手段により折り畳み脚部を連結することで一対の表示板が前記の設置姿勢に保持されるようにしたものである。
【０００３】
このような標識具は、風が吹いたり物がぶつかったりしたときに簡単に倒れてしまわないように設置時に安定している必要がある。そこで、先の特許文献１記載の標識具では、前記連結手段を、内部に空洞を有する合成樹脂製の中空板で形成し、この中空板に設けた注入口から中空板内に水や砂を注入して、これを折り畳み脚部の比較的下方側に配置した構成が採用されている。これによれば、水や砂が注入された中空板がいわゆる「重し」もしくは「重り」となって設置姿勢における重心位置が下がるので、その分だけ設置時の安定性を高めることができる。
【０００４】
なお、従来においては、ダンボールのような比較的軽量の素材で構成された標識具（表示具）において、一対の表示板の接続部（設置状態で頂部となる部分）の近傍に側面視で三角形状の空間を形成し、この空間内に三角形状の棒を挿入セットして、この棒に例えば水の入ったペットボトルを袋にいれて吊り下げ、これを先の「重し」もしくは「重り」として利用することも提案されている（特許文献２の段落番号００２７、および図７参照）。
【先行技術文献】
【特許文献】
【０００５】
【特許文献１】実開昭６３−１９９２７５号公報（第１図）
【特許文献２】特開２００８−２５０２７１号公報（段落番号００２７、図７）
【発明の概要】
【発明が解決しようとする課題】
【０００６】
しかしながら、特許文献１記載の標識具（表示具）においては、中空板の上面に設けられた注入口から水あるいは砂を注入する作業が比較的面倒で手間がかかる等の問題がある。すなわち、水を注入する場合は、水道の蛇口から中空板における注入口に対して水を直接注入するのは困難なため、注入用のホースやヤカンなどを別途使用して注入作業を行なう必要があり、砂を注入する場合は、そのための砂を別途用意あるいは確保したうえで、これを中空板における注入口から注入するという面倒な作業を行なう必要がある。また、標識具を片づけるときには、全体の重量を軽くするために中空板内の水または砂を完全に抜いておく必要があるが、その際、中空板の上面に設けられた上記のような注入口から内部の水または砂を完全に抜き取るには、当該中空板を前後左右に傾けたり揺すったりして内部に水または砂が留まらないようにしなければならないため、この種の排出作業にも結構手間がかかるという問題がある。
【０００７】
一方、特許文献２記載の標識具のように、水の入ったペットボトルを袋にいれて吊り下げ、これを「重し」もしくは「重り」として利用したものでは、安定性が十分でないという問題がある。具体的には、例えば、比較的強い風が吹いた場合などにおいて、ペットボトルの入っている袋が揺れて倒れる可能性がある。また、袋を吊り下げている棒の挿入方向の位置がズレたり、袋の吊り下げられている位置自体がズレたりしたときに、標識具全体のバランスが崩れて倒れやすくなるという問題もある。
【０００８】
本発明は、このような点に鑑みてなされたもので、道路工事や建築工事などの現場で使用される標識具として、使用時に比較的簡単かつ手軽に安定性を高めることのできる標識具を提供することを目的とする。
【課題を解決するための手段】
【０００９】
上記の目的を達成するため、本発明は、上端がヒンジを介して折り畳み可能に連結され、他端が設置面に対する接地部とされた一対の表示板と、このうちの一方の表示板の裏面側に基端側が回動可能に取り付けられ、先端側が、他方の表示板の裏面側に設けられた係止部に係止可能とされた連結板とを有し、前記連結板の先端側を前記他方の表示板の係止部に係止することにより、当該連結板を水平に保持した状態で、前記一対の表示板を、側面視で前記ヒンジを頂点とする三角形状を呈する設置姿勢に維持して、これらの表示板の表面に表示された標識が通行人等に視認されるようにする標識具において、次のように構成したことを特徴とする。
【００１０】
すなわち、前記連結板に、飲料用ボトルのネック部（その上方に位置する口部の下側部分を含む）を係止しうるボトル係止孔を設け、前記設置姿勢に維持されている状態において水平に保持された連結板のボトル係止孔に飲料用ボトルのネック部を係止したときに当該飲料用ボトルが設置面から実質的に浮いた状態で保持されるように前記連結板の高さ位置を設定する。ここで、「当該飲料用ボトルが設置面から実質的に浮いた状態」とは、当該飲料用ボトルの底が地面等の設置面から完全に離れた非接触状態となっている場合のみならず、接触状態となっている場合であってもそのことによって連結板が上方に押し上げられたり当該標識具の設置状態が不安定となったりすることのないような状態を意味する。また、「飲料用ボトル」は、必ずしも飲料を収容するために使用されるボトルに限られず、例えば醤油やソースのような液体調味料などの飲料以外の液体を収容するために使用されるプラスチック製のボトルなども含まれる。すなわち、ボトルの形態や構造が飲料用ボトルと同等のものや類似しているものも含まれる。
【００１１】
具体的には、ボトル係止孔は、飲料用ボトルの口部に装着されるキャップの外径よりも大径とされた大径部と、この大径部に連続するように形成されて前記飲料用ボトルの口部の外径よりも大径で且つキャップの外径よりも小径の小径部とで構成する。そして、このうちの大径部に飲料用ボトルのキャップを下方側から挿通して、当該キャップの下方側に位置するネック部を大径部内に位置させ、その状態で小径部側に水平に移動させるか、または小径部の下方側から飲料用ボトルの口部を挿通して小径部の上方側に突出させ、その突出部分にキャップを装着することで、飲料用ボトルのネック部がボトル係止孔の小径部に係止される構成とする。
【００１２】
連結板のボトル係止孔に係止される飲料用ボトルとしては、通常、どこでも手軽に入手できるという点で、いわゆるペットボトル、すなわちボトル本体がポリエチレンテレフタレートで構成されたボトルを使用するのが望ましい。ペットボトル以外にも、例えば飲料用のボトルとして使用されるアルミニウム製のボトルなどの金属製のボトルも使用できる。
【発明の効果】
【００１３】
本発明の標識具においては、一方の表示板に基端側が回動可能に取り付けられた連結板における先端側を他方の表示板の係止部に係止することにより、当該連結板が水平に保持されるとともに、一対の表示板が、側面視で前記ヒンジを頂点とする三角形状を呈する設置姿勢に維持される。そして、この状態で水平に保持された連結板のボトル係止孔に飲料用ボトルのネック部を係止することで、当該飲料用ボトルを設置面から実質的に浮いた状態で保持することができる。
【００１４】
したがって、例えば使用済みのペットボトルに水を入れてキャップを閉じ、水平状態にある連結板の係止孔に当該ボトルのネック部を上記のようにして係止させることによって、この水の入ったペットボトルを標識具の安定性を高める「重し」もしくは「重り」として利用することができる。この場合、ペットボトルなどの飲料用ボトルはどこでも手軽に入手でき、この種のボトル内に重量確保用の水などを注入する作業も比較的容易に行なえる。
【００１５】
上記のボトル係止孔を、飲料用ボトルの口部に装着されるキャップの外径よりも大径とされた大径部と、この大径部に連続するように形成されて前記飲料用ボトルの口部の外径よりも大径で且つキャップの外径よりも小径の小径部とで構成し、このうちの大径部に飲料用ボトルのキャップを下方側から挿通して、当該キャップの下方側に位置するネック部を大径部内に位置させ、その状態で小径部側に水平に移動させるか、または小径部の下方側から飲料用ボトルの口部を挿通して小径部の上方側に突出させ、その突出部分にキャップを装着することで、飲料用ボトルのネック部がボトル係止孔の小径部に係止される構成とした場合には、この種のペットボトル等の飲料用ボトルの装着作業が極めて簡単に行なえることとなる。しかも、装着後は飲料用ボトルのネック部が前記ボトル係止孔の小径部に係止された状態で確実に保持されることにより、例えば風が吹いたときでもボトルが大きく揺れ動いたりその装着位置がズレたりすることはなく、そのようなボトルの揺れ動きや位置ズレによる標識具の不安定化を回避することができる。
【図面の簡単な説明】
【００１６】
【図１】本発明の実施例に係る標識具の使用状態を示す側面図である。
【図２】本発明の実施例に係る標識具の閉じた状態を実線で示し、開いた状態を鎖線で示す斜視図である。
【図３】本発明の実施例に係る標識具における連結板のボトル係止孔に飲料用ボトル（ペットボトル）のネック部を係止させた状態を示す当該標識具の上部の縦断側面図である。
【図４】図３のＡ−Ａ線で切断した断面図である。
【図５】図４のＢ−Ｂ線で切断した断面図である。
【図６】図４のＤ−Ｄ線で切断した端面図である。
【図７】前記連結板のボトル係止孔に飲料用ボトル（ペットボトル）を係止させる手順を説明する際に使用したもので、図３のＣ−Ｃ線で切断した断面図である。
【図８】連結板の先端部分の他の構造例を示す縦断側面図である。
【発明を実施するための形態】
【００１７】
（実施例）  図１は本発明の実施例に係る標識具の使用状態を示したものであり、図２は標識具の閉じた状態（折り畳んだ状態）を実線で示し、開いた状態を鎖線で示したものである。これらの図に示す標識具１は全体がプラスチックで構成されている。
【００１８】
この標識具１は、上端２ａ・２ａがヒンジ３を介して折り畳み可能に連結され、下端２ｂ・２ｂが地面等の設置面Ｇに対する接地部とされた一対の表示板２・２を有する。各表示板２の表面（外面）２ｃ側には、それぞれ、文字や図形等の所要の標識を表示すべき部分として、凸条２ｄ・２ｅによって囲まれた表示部２ｆ・２ｇが設けられている。
【００１９】
各表示板２の上端２ａ側には横長の孔状の開口部２ｈが互いに対応位置するようにそれぞれ形成されており、これらの開口部２ｈ・２ｈに指を挿入してヒンジ３側を掴むことによって当該ヒンジ３側の部分を把手として利用できるようになっている。
【００２０】
一対の表示板２・２の裏面（対向面）２ｉ・２ｉ側には、図１および図３に示すように、使用時に水平状態で両表示板２・２を連結して、側面視でヒンジ３を頂点とする三角形状を呈する設置姿勢に維持する連結板４が備えられている。
【００２１】
この連結板４は、図４に示すように、一方の表示板２（２１）に沿って水平方向に延びる基端４ａ側の両側部に一対のピン部４ｂ・４ｂが外方に向けて突設されており、これらのピン部４ｂ・４ｂが、一方の表示板２（２１）の両側部に形成されたピン孔２ｊ・２ｊに枢着されていることにより、当該ピン部４ｂ・４ｂの回りに回動可能とされている。
【００２２】
連結板４の回動端側となる先端４ｃ側の両側部には、図３ないし図５に示すように、当該連結板４を水平状態にセットしたときに下方に向く一対の係止ピン４ｄ・４ｄが突設されており、これらの係止ピン４ｄ・４ｄが、他方の表示板２（２２）の裏面２ｉ側に設けられた係止部２ｋ・２ｋにおける孔２ｍ・２ｍに嵌合可能とされている。そして、図３に示したように、一対の表示板２・２を開いた状態で、連結板４における係止ピン４ｄ・４ｄを他方の表示板２（２２）の係止部２ｋ・２ｋにおける孔２ｍ・２ｍに嵌合させて、連結板４をヒンジ３の下方の所定高さ位置において水平状態に固定することによって、両表示板２・２をヒンジ３の下方の所定高さ位置で連結して、各表示板２の表示部２ｆ・２ｇに表示された標識が通行人等に視認されるように、側面視で三角形状の上記の設置姿勢（図１参照）を維持する構成とされている。
【００２３】
ここで、各係止ピン４ｄは、図５に示したように、それぞれ、連結板４の基端４ａ側から見て手前側となる部分がテーパ状の案内面４１ｄとされて、図５に示した側面視で先端側が細くなるように形成されている。そして、他方の表示板２（２２）側の係止部２ｋにおける孔２ｍに係止ピン４ｄを嵌合させる際に、前記案内面４１ｄが孔２ｍの開口縁に当たって係止ピン４ｄの先端側を孔２ｍの方向に案内することによって、孔２ｍに対する係止ピン４ｄの位置決めと嵌合動作がスムーズに行なわれるようになっている。
【００２４】
さらに、表示板２（２２）の裏面２ｉ側には、図４ないし図６に示すように、両表示板２・２が所定の開いた姿勢（設置姿勢）となっている状態において、連結板４の先端４ｃ側の持ち上げ方向への不用意な回動を阻止する突起５０・５０が形成されている。各突起５０は、側面視で上方に向けて厚み寸法が減少する逆テーパ断面形状を有し、連結板４の先端４ｃ側を水平方向に回動させたときに連結板４の先端４ｃが各突起５０のテーパ面５１に接触しながら下方側に移動し、連結板４における係止ピン４ｄ・４ｄが前記孔２ｍ・２ｍに嵌合したときに、連結板４の先端４ｃの上面４１ｃ側が突起５０の下面５２側と対接することで、連結板４の先端４ｃ側の持ち上げ方向への不用意な回動を阻止しうるようになっている。すなわち、これらの突起５０・５０は、上述した連結板４における一対の係止ピン４ｄ・４ｄを他方の表示板２（２２）側の係止部２ｋ・２ｋにおける孔２ｍ・２ｍに嵌合させて連結板４を水平にセットした状態から、連結板４の先端４ｃ側が不意に上方に持ち上げられて一対の係止ピン４ｄ・４ｄが孔２ｍ・２ｍから抜けてしまうことによって一対の表示板２・２が不用意に閉じてしまわないようにする手段として機能する。
【００２５】
なお、連結板４の先端４ｃ側の中央部にはピン状の突起４ｅが設けられているとともに、一対の表示板２・２にはヒンジ３の下方に位置する開口部２ｈ・２ｈの下縁部分に突起係合用の係合部２ｎ・２ｎが設けられている。そして、両表示板２・２を閉じたとき等において、連結板４の基端４ａ側の取り付けられている表示板２（図示例では表示板２１）における係合部２ｎに、連結板４におけるピン状の突起４ｅを係合させることで、当該表示板２（２１）に沿って連結板４を固定しておけるようになっている（図２における部分拡大図、および図３参照）。
【００２６】
また、この実施例においては、一対の表示板２・２のいずれにも、同じ構造および構成の表示板が使用されている。したがって、上述した突起係合用の係合部２ｎ・２ｎだけでなく、一方の表示板２（２１）の両側に形成されたピン孔２ｊや、他方の表示板２（２２）の裏面２ｉ側に設けられた係止部２ｋおよび孔２ｍ等は、いずれの表示板２（２１）・２（２２）にも設けられている。
【００２７】
以上の構成に加えて、この標識具１においては、前記連結板４の略中央部に、ボトル本体１１がポリエチレンテレフタレートで形成された飲料用ボトルであるペットボトル１０のネック部１２を係止しうるボトル係止孔２ｐが設けられている。そして、上述した設置姿勢にある場合において、水平状態に保持された連結板４のボトル係止孔２ｐにペットボトル１０のネック部１２を係止したときに、図１に示したごとく、当該ペットボトル１０が設置面Ｇから実質的に浮いた状態で保持されるように構成されている。すなわち、水平状態に保持された連結板４の設置面Ｇからの高さをＨとし、ボトル係止孔２ｐに係止したペットボトル（図示例では５００ミリリットル容量のペットボトル）１０のネック部１２から底面１３までの高さ寸法をｈとしたときに、Ｈ≧ｈとなるように、連結板４の高さ位置が設定されている。
【００２８】
ボトル係止孔２ｐは、本実施例では、図４および図５に示したように、飲料用ボトル１０の口部１４に装着されるキャップ１５の外径よりも大径とされた大径部２ｑと、この大径部２ｑに連続するように形成されて前記飲料用ボトルの口部１４の外径よりも大径で且つキャップ１５の外径よりも小径の小径部２ｒとで構成されている。そして、図７に矢印で示したように、前記大径部２ｑにペットボトル１０のキャップ１５を下方側から挿通して、当該キャップ１５の下方側に位置するネック部１２を大径部２ｑ内に位置させ、その状態で小径部２ｒ側に水平に移動させることで、ペットボトル１０のネック部１２が連結板４におけるボトル係止孔２ｐの小径部２ｒに係止されるようになっている。
【００２９】
上記のように構成された標識具１によれば、これを例えば工事現場の地面等に設置した場合において、以下のようにして当該標識具を安定した状態に保つことができる。
【００３０】
図２の実線で示すように折り畳まれた標識具１を同図鎖線で示すように開いて地面等の設置面Ｇに設置するに当たっては、まず連結板４を、一方の表示板２（２１）に沿わせた図３の鎖線で示す状態から同図に実線で示す水平状態にセットする。
【００３１】
すなわち、図３において連結板４の先端４ｃ側を時計方向に回動させて、図４に示すように、その係止ピン４ｄ・４ｄを他方の表示板２（２２）の係止部２ｋ・２ｋにおける孔２ｍ・２ｍに嵌合させる。このようにすると、連結板４がヒンジ３の下方の所定高さ位置において水平状態に固定されるとともに、一対の表示板２・２が側面視でヒンジ３を頂点とする三角形状を呈する設置姿勢に維持される。このとき、図１に示したごとく、水平状態に保持された連結板４の設置面Ｇからの高さＨは、ボトル係止孔２ｐに係止したペットボトル１０のネック部１２から底面１３までの高さ寸法ｈに対して、Ｈ≧ｈとなるように設定されているから、ペットボトル１０は設置面Ｇから浮いた状態で保持される。
【００３２】
次に、この状態で水平に保持された連結板４のボトル係止孔２ｐに、内部に例えば水を入れてキャップを閉じたペットボトル１０のネック部１２を係止させる。具体的には、図７に矢印で示すように、連結板４のボトル係止孔２ｐの大径部２ｑにペットボトル１０のキャップ１５を下方側から挿通して、当該キャップ１５の下方側に位置するネック部１２を大径部２ｑ内に位置させ、その状態で小径部２ｒ側に水平に移動させる。このようにすると、ペットボトル１０のネック部１２がボトル係止孔２ｐの小径部２ｒに位置するが、この場合、小径部２ｒはペットボトル１０のキャップ１５よりも小径とされているから、当該キャップ１５の下面側がボトル係止孔２ｐの小径部２ｒの周縁部分に引っかかることになる。したがって、ペットボトル１０のキャップ１５側がボトル係止孔２ｐの小径部２ｒにの下方側に抜けてペットボトル１０が落下することはない。
【００３３】
こうして、標識具１を設置姿勢に維持した状態において水平に保持された連結板４のボトル係止孔２ｐの小径部２ｒにペットボトル１０のネック部１２を簡単に係止させることができる。このような状態で連結板４に装着されたペットボトル水１０は、その重量により標識具１の「重し」もしくは「重り」として機能する。これにより、標識具１の設置姿勢における安定性が向上することとなる。また、このようなペットボトル１０はどこでも手軽に入手できるだけでなく、当該ボトル内に重量確保用の水などを注入する作業も比較的容易に行なえることは言うまでもない。
【００３４】
加えて、ペットボトル１０は、そのネック部１２よりも大径でキャップ１５よりも小径とされた小径部２ｒに係止状態で確実に保持されるから、例えば風が吹いたときでも当該ボトル１０が大きく揺れ動いたりその装着位置がズレたりすることはない。したがって、そのようなペットボトル１０の揺れ動きや位置ズレによる標識具１の不安定化を回避することができる。
【００３５】
なお、上述した実施例では、連結板４に形成したボトル係止孔２ｐの大径部２ｑにペットボトル１０のキャップ１５を下方側から挿通して、当該キャップ１５の下方側に位置するネック部１２を大径部２ｑ内に位置させ、その状態で小径部２ｒ側に水平に移動させることで、ペットボトル１０のネック部１２を前記小径部２ｒに係止させるようにしたが、まずペットボトル１の口部１４にキャップ１５を装着しない状態で前記小径部２ｒの下方側からペットボトル１０の口部１４を挿通して小径部２ｒの上方側に突出させ、その突出部分にキャップ１５を装着することで、ペットボトル１０のネック部１２をボトル係止孔２ｐの小径部２ｒに係止させるようにしてもよい。
【００３６】
また、図６に示した例では、表示板２（２２）の裏面２ｉ側に設けた各突起５０と当接する連結板４の先端４ｃ側は平板状となっているが、他の例として図８に示すように、連結板４の先端４ｃ側を側面視で凹条を呈する断面形状とするすることができる。このようにすると、連結板４を水平状態にセットすべくその先端４ｃ側を表示板２の裏面２ｉ側における突起５０と接触させながら下方側に回動させたときに、前記凹条の先端部分４２ｃが弾性により内側（凹部の上端間が狭まる方向）に撓むので当該先端部分４２ｃが比較的スムーズに突起５０の下方位置へと移動し、その位置に達するや否や元の状態ないし形態に復元して、当該先端部分４２ｃの上面４３ｃが突起５０の下面５２に対接することとなる。したがって、連結板４の水平状態へのセット作業が比較的容易に行なえるようになる。
【符号の説明】
【００３７】
１  標識具
２・２  一対の表示板（２１  一方の表示板、２２  他方の表示板）
２ａ  表示板の上端
２ｂ  表示板の下端  
２ｃ  表示板の表面
２ｉ  表示板の裏面（対向面）
２ｋ  係止部
２ｐ  ボトル係止孔
２ｑ  ボトル係止孔の大径部
２ｒ  ボトル係止孔の小径部
３  ヒンジ
４  連結板
４ａ  連結板の基端
４ｂ  連結板の先端
１０  飲料用ボトル（ペットボトル）
１２  飲料用ボトルのネック部
１４  飲料用ボトルの口部
１５  キャップ
Ｇ  設置面
【図１】
0005383423.tif 000002
【図２】
0005383423.tif 000003
【図３】
0005383423.tif 000004
【図４】
0005383423.tif 000005
【図５】
0005383423.tif 000006
【図６】
0005383423.tif 000007
【図７】
0005383423.tif 000008
【図８】
0005383423.tif 000009